(57)【要約】  【課題】蒸発皿にドレン水を貯留し蒸発させる自動販売機の機械室ファンの強制通風のほぼ全てを蒸発皿に流すことにより、ドレン水の蒸発を促進させる。  【解決手段】機械室３内にシェル内低圧の圧縮機１２、凝縮器１９、結露着霜したドレン水を貯留する蒸発皿１３と機械室３内を強制通風させる機械室ファン１４を備えた自動販売機において、機械室３の前方に凝縮器１９、後方に圧縮機１２を配置し、機械室ファン１４は凝縮器１９と蒸発皿１３の間に設置し、機械室ファン１４による強制通風のほぼ全てが直接蒸発皿１３に向けて送風されるように機械室３を配置したことにより、ドレン水の蒸発を促進させることができる。【選択図】図３
2007102681.tif 000002
【特許請求の範囲】
【請求項１】
自動販売機の機械室内に圧縮機、凝縮器、結露着霜したドレン水を貯留する蒸発皿と機械室内を強制通風させる機械室ファンを備えた自動販売機において、機械室の前方に前記凝縮器、後方に前記圧縮機を配置し、前記機械室ファンは前記凝縮器と前記蒸発皿の間に設置し、前記機械室ファンによる強制通風のほぼ全てが直接前記蒸発皿に向けて送風されるように前記機械室を配置したことを特徴とする自動販売機。
【請求項２】
機械室ファンの吸い込み空気により凝縮器を冷却するようにエアガイドを設けた請求項１に記載の自動販売機。
【請求項３】
凝縮器をフィンチューブ型とし、機械室ファンの強制通風の方向とフィンの配列が略平行となるような配置とした請求項１に記載の自動販売機。
【請求項４】
蒸発皿内に複数の蒸発シートを設け、蒸発シートによって機械室ファンの通風を機械室後方へと導く構成とした請求項１から３のいずれか一項に記載の自動販売機。
【請求項５】
機械室後方に、蒸発皿の高さより高い位置でかつ蒸発皿の部分を開口した吹き出しパネルを設けた請求項１から４のいずれか一項に記載の自動販売機。
【請求項６】
可燃性冷媒を用い、蒸発皿の高さより低い位置でかつ蒸発皿以外の部分を開口した吹き出しパネルを設けた請求項１から５のいずれか一項に記載の自動販売機。
【発明の詳細な説明】
【技術分野】
【０００１】
本発明は、機械室に設けた庫内の結露水を貯留、蒸発させる蒸発皿の蒸発作用を促進させた自動販売機に関するものである。
【背景技術】
【０００２】
商品を冷却して販売する自動販売機においては、庫内に冷却器を備え、冷却器に結露、着霜することにより発生したドレン水を、機械室内に設置した蒸発皿に貯留し、蒸発させることにより処理している。
【０００３】
この種の自動販売機は、配置された冷却ファンの風の一部を蒸発皿へ導くエアガイドを設けることにより蒸発作用を促進させたものが提案されている（特許文献１参照）。
【０００４】
以下、図面を参照しながら上記従来の自動販売機を説明する。
【０００５】
図４は従来の自動販売機の機械室の平面図である。図４に示すように、自動販売機１は、下部に前面と背面に通気口を設けた機械室３を備え、機械室３内には、圧縮機４、凝縮器５、凝縮器５を冷却する機械室ファン６、庫内で発生した結露水を貯留、蒸発させる蒸発皿７、圧縮機４と凝縮器５の間に設け、蒸発皿７内を通るようにコイル状に形成された蒸発パイプ８、蒸発パイプ８に絡ませるように設けられた吸水性の蒸発シート９と、機械室ファン６から吹き出される風を蒸発皿７と圧縮機４へと分流させるエアガイド１０とから構成される凝縮ユニット１１を収納している。
【０００６】
以上のように構成された自動販売機について、以下その動作を説明する。
【０００７】
自動販売機１の商品収納室内（図示せず）に収納された冷却器（図示せず）は、周囲の空気よりも低温となることから、冷却運転中、表面に空気中の水分が凝縮し、結露、着霜する。
【０００８】
また、着霜した霜が成長すると、冷却器は直接空気と接触することができず、冷却器の熱交換効率が低下し、冷却能力が低下するため、除霜運転を行い霜を解かす必要がある。この時発生したドレン水は、蒸発皿７に導かれ、一旦貯留される。
【０００９】
一方、圧縮機４運転中、蒸発パイプ８内には、圧縮機４で圧縮され高温となったガス冷媒が流れ、この熱により蒸発皿７内に貯留されたドレン水を蒸発させる。
【００１０】
また、機械室ファン６の吸い込み空気により凝縮器５を冷却し、吐出空気はエアガイド１０により分流され、一部が蒸発皿７へ、残りが圧縮機４へと流れる。
【００１１】
そして、蒸発皿７へと流れた風により、蒸発パイプ８の熱で蒸発した水分が機械室１内から吹き出され、さらに蒸発シート９により風の当たる表面積を増加させることにより蒸発が促進される。
【００１２】
また、近年、環境保護の観点から、冷却システムの冷媒にフロンを使わず可燃性冷媒を用いた自動販売機が提案されており、このような自動販売機においては、冷媒量削減の観点から圧縮機はシェル内低圧型の圧縮機が使用されている（特許文献２参照）。
【特許文献１】特開平７−５７１３９号公報
【特許文献２】特開２００４−２７２５８７号公報
【発明の開示】
【発明が解決しようとする課題】
【００１３】
しかしながら、上記従来の構成では、吐出ガス温度の低いシェル内低圧の圧縮機を用いた場合には、吐出ガス温度が低くなることから蒸発パイプ８の温度が低くなり、必要な蒸発量を得られず、蒸発皿７から水が溢れる恐れがあり、溢れさせないためには、加熱手段を別に設けたり、機械室ファン６の大型化など、コストアップ、増エネとなる恐れがあった。
【００１４】
また、冷媒にＲ６００ａなどの吐出ガス温度が低くなる冷媒を用いた場合には、蒸発パイプ８の温度はさらに低くなり、必要な蒸発量を得られず、蒸発皿７から水が溢れる恐れがあり、溢れさせないためには、加熱手段を別に設けたり、機械室ファンの大型化など、コストアップ、増エネとなる恐れがあった。
【００１５】
本発明は、上記従来の課題を解決するもので、圧縮機吐出ガス温度が低くても、蒸発性能を確保できる自動販売機を提供することを目的とする。
【００１６】
また、サービス時などに機械室ファン６を取り外す場合には、機械室ファン６が凝縮器５の裏側にあるため、機械室３より凝縮ユニット１１を取り出さなければならず、サービスに時間がかかっていた。
【００１７】
本発明の他の目的は、機械室ファン６を凝縮器５の横に配置することにより、機械室ファン６が容易に取り外せ、サービス時の作業性の高い自動販売機を提供することである。
【００１８】
また、外気温度が低い時には、機械室ファン６により圧縮機４が冷却され、圧縮機４の温度が低くなり、圧縮機４内の潤滑油に冷媒が多量に溶け込み、冷却システム内を循環する冷媒量が少なくなり、冷却能力が低下するおそれがあった。
【００１９】
本発明の他の目的は、機械室ファン６により圧縮機４を直接冷却しないことにより、低外気温度での冷却システム内の冷媒量不足を防ぎ、冷却能力の高い自動販売機とすることである。
【課題を解決するための手段】
【００２０】
上記従来の課題を解決するために、本発明の自動販売機は、自動販売機の機械室内にシェル内低圧の圧縮機、凝縮器、結露着霜したドレン水を貯留する蒸発皿と機械室内を強制通風させる機械室ファンを備えた自動販売機において、機械室の前方に凝縮器、後方に圧縮機を配置し、機械室ファンは凝縮器と蒸発皿の間に設置し、機械室ファンによる強制通風のほぼ全てが直接蒸発皿に向けて送風されるように機械室を配置した。
【００２１】
これによって、機械室ファンの吹き出し空気が直接蒸発皿内を流れるため、蒸発皿内を流れる風の風速を速くすることができ、ドレン水の蒸発を促進することができる。
【００２２】
また、本発明の自動販売機は、機械室ファンの吸い込み空気により凝縮器を冷却するようにエアガイドを設けた構成としたものである。
【００２３】
これによって、機械室ファンの吸い込み空気で凝縮器を冷却し、凝縮器を冷却した暖かい風が蒸発皿内を流れるため、ドレン水の蒸発を促進することができる。
【００２４】
また、本発明の自動販売機は、凝縮器をフィンチューブ型とし、機械室ファンの強制通風の方向とフィンが平行となるような配置としたものである。
【００２５】
これによって、エアガイド無しで機械室ファンの吸い込み空気で凝縮器を冷却することができ、簡単な構成でドレン水の蒸発を促進することができるとともに、機械室ファンが凝縮器の横に配置していることにより、機械室ファンを容易に取り外すことができる。
【００２６】
また、本発明の自動販売機は、蒸発皿内に複数の蒸発シートを設け、蒸発シートによって風を機械室後方へと導く構成としたものである。
【００２７】
これによって、ドレン水が風を受ける表面積を大きくすることができ、ドレン水の蒸発を促進することができる。
【００２８】
また、本発明の自動販売機は、機械室後方に、蒸発皿の高さより高い位置でかつ蒸発皿の部分を開口した吹き出しパネルを設けた構成としたものである。
【００２９】
これによって、機械室ファンから吹き出され、蒸発皿内を流れる風は、途中で蒸発皿外に流れ出ることはなく、最後まで蒸発皿を流れて機械室から吹き出されるため、蒸発皿内を流れる風の風量を多くすることができ、ドレン水の蒸発を促進することができる。
【００３０】
また、本発明の自動販売機は、可燃性冷媒を用い、蒸発皿の高さより低い位置でかつ蒸発皿以外の部分を開口した吹き出しパネルを設けた構成としたものである。
【００３１】
これによって、もし冷却システムから可燃性冷媒が漏れても、蒸発皿を流れない少量の風が蒸発皿以外の開口部から吹き出されることにより機械室の換気ができ、機械室内での可燃性冷媒の濃度を低くすることができる。
【発明の効果】
【００３２】
本発明の自動販売機は、機械室ファンによる強制通風のほぼ全てを直接蒸発皿内に流すことにより、蒸発皿内のドレン水の蒸発を促進させることができる。
【発明を実施するための最良の形態】
【００３３】
請求項１に記載の発明は、自動販売機の機械室内に圧縮機、凝縮器、結露着霜したドレン水を貯留する蒸発皿と機械室内を強制通風させる機械室ファンを備えた自動販売機において、機械室の前方に凝縮器、後方に圧縮機を配置し、機械室ファンは凝縮器と蒸発皿の間に設置し、機械室ファンによる強制通風のほぼ全てが直接蒸発皿に向けて送風されるように機械室を配置することにより、機械室ファンの吹き出し空気が直接蒸発皿内を流れるため、蒸発皿内を流れる風の風速を速くし、ドレン水の蒸発を促進することができ、蒸発性能の高い自動販売機とすることができる。
【００３４】
請求項２に記載の発明は、機械室ファンの吸い込み空気により凝縮器を冷却するようにエアガイドを設けることにより、機械室ファンの吸い込み空気で凝縮器を冷却し、凝縮器を冷却した暖かい風が蒸発皿内を流れるため、ドレン水の蒸発を促進することができ、蒸発性能の高い自動販売機とすることができる。
【００３５】
請求項３に記載の発明は、凝縮器をフィンチューブ型とし、機械室ファンの強制通風の方向とフィンの配列が略平行となるような配置としたことにより、エアガイド無しで機械室ファンの吸い込み空気で凝縮器を冷却することができ、簡単な構成でドレン水の蒸発を促進することができるとともに、機械室ファンが凝縮器の横に配置していることにより、機械室ファンを容易に取り外すことができ、蒸発性能が高く、サービス性の高い自動販売機とすることができる。
【００３６】
請求項４に記載の発明は、蒸発皿内に複数の蒸発シートを設け、蒸発シートによって機械室ファンの通風を機械室後方へと導く構成とすることにより、ドレン水が風を受ける表面積を大きくし、ドレン水の蒸発を促進することができ、蒸発性能の高い自動販売機とすることができる。
【００３７】
請求項５に記載の発明は、機械室後方に、蒸発皿の高さより高い位置でかつ蒸発皿の部分を開口した吹き出しパネルを設けることにより、機械室ファンから吹き出され、蒸発皿内を流れる風は、途中で蒸発皿外に流れ出ることはなく、最後まで蒸発皿を流れて機械室から吹き出されるため、蒸発皿内を流れる風の風量を多くし、ドレン水の蒸発を促進することができ、蒸発性能の高い自動販売機とすることができる。
【００３８】
請求項６に記載の発明は、可燃性冷媒を用い、蒸発皿の高さより低い位置でかつ蒸発皿以外の部分を開口した吹き出しパネルを設けることにより、もし冷却システムから可燃性冷媒が漏れても、蒸発皿を流れない少量の風が蒸発皿以外の開口部から吹き出されることにより機械室を換気し、機械室内での可燃性冷媒の濃度を低くすることができ、安全性の高い自動販売機とすることができる。
【００３９】
以下、本発明の実施の形態について、図面を参照しながら説明する。なお、この実施の形態によってこの発明が限定されるものではない。
【００４０】
（実施の形態１）
図１は本発明の実施の形態１による自動販売機の機械室の平面図である。図２は同実施の形態の自動販売機の機械室の背面図である。
【００４１】
図１、図２において、前面と背面に通気口２を設けた機械室３内には、Ｒ６００ａなどの可燃性冷媒を用いたシェル内低圧の例えばレシプロ式の圧縮機１２、凝縮器５、蒸発皿１３、凝縮器５と蒸発皿１３の間に設置し、強制通風のほぼ全てが直接蒸発皿１３に向けて送風されるように配置した機械室ファン１４と、機械室ファン１４の吸い込み空気のほぼ全てが凝縮器５を通るように配置したエアガイド１５を備えている。
【００４２】
そして機械室ファン１４の強制通風が全て凝縮器５を流れるように、機械室３の前面の通気口２の凝縮器５以外の部分には風の流れを遮るように仕切り１６を設けている。
【００４３】
また、背面の通気口２には蒸発皿１３の高さより高い位置でかつ蒸発皿１３の部分及び、蒸発皿１３の高さよりも低い位置でかつ蒸発皿１３以外の部分を開口した吹き出しパネル１７を設け、蒸発皿１３内には、蒸発皿１３内を流れる風を吹き出しパネル１７の蒸発皿１３の部分へと導くように配置された複数の蒸発シート１８を設けている。
【００４４】
以上のように構成された自動販売機について、以下その動作、作用を説明する。
【００４５】
自動販売機運転中、除霜運転により発生したドレン水は、蒸発皿１３に一旦貯留される。
【００４６】
一方、圧縮機１２運転中、凝縮器５はエアガイド１５により機械室ファン１４の強制通風により冷却され、凝縮器５の熱により暖かくなった風が蒸発皿１３内を流れる。
【００４７】
蒸発皿１３内を流れる風は、蒸発シート１８及び水面と接触することによりドレン水を蒸発させ、吹き出しパネル１７から外気へと吹き出され、蒸発皿１３内のドレン水は蒸発促進される。
【００４８】
この時、機械室ファン１４は蒸発皿１３の方向を向いており、強制通風のほぼ全てが蒸発皿１３内を流れるため、従来の自動販売機に比べ、蒸発皿１３内を流れる風量が増加しており、さらに蒸発シート１８を複数設けることにより、風との接触面積を大きくすることができる。
【００４９】
一般的に、水の温度、風速、風と水面の接触面積が水の蒸発を支配することから、シェル内が低圧の圧縮機を用いた場合、蒸発パイプ８によるドレン水の温度上昇が期待できない従来の自動販売機に比べ、本実施の形態では風速、風と水面との接触面積を増やすことができるので、ドレン水の蒸発を促進することができる。
【００５０】
また、機械室ファン１４による強制通風のうち、圧縮機１２を流れる風はほとんどなく、機械室ファン１４による圧縮機１２の冷却能力は小さく、外気温度が低い時に圧縮機１２が過剰に冷却され、圧縮機１２内の潤滑油に冷媒が多量に溶け込むことはない。
【００５１】
また、蒸発皿１３内を流れた風は、蒸発シート１８と吹き出しパネル１７により、途中で蒸発皿１３外に流れ出ることなく蒸発皿１３内の水面全てを風が流れる。
【００５２】
これにより、風速、風と水面との接触面積を増やすことができ、ドレン水の蒸発性能を向上させることができるとともに、冷却システムを循環する冷媒量が少なくなり冷却能力が低下することはない。
【００５３】
また、機械室ファン１４の強制通風のうち、蒸発皿１３内を流れない風は、機械室３内を換気し、吹き出しパネル１７から外気へと吹き出される。
【００５４】
これにより、もしＲ６００ａが漏洩した場合にも、機械室３に漏洩した冷媒が対流せず外気へと換気されるため、漏洩したＲ６００ａが着火、燃焼することはない。
【００５５】
（実施の形態２）
図３は本発明の実施の形態２による自動販売機の機械室の平面図である。
【００５６】
図３において、凝縮器１９はフィン２０とパイプ２１により構成され、機械室ファン１４の強制通風の方向とフィン２０が平行となるような向きで配置されている。
【００５７】
また、機械室ファン１４による強制通風が、自動販売機の前面から吸い込み背面に吹き出すように、仕切り２２、２３を設けている。
【００５８】
以上のように構成された自動販売機について、以下その動作、作用を説明する。
【００５９】
圧縮機１２運転中、凝縮器１９は機械室ファン１４の強制通風により冷却され、凝縮器１９の熱により暖かくなった風が蒸発皿１３内を流れる。
【００６０】
蒸発皿１３内を流れる風は、蒸発シート１８及び水面と接触することによりドレン水を蒸発させ、吹き出しパネル１７から外気へと吹き出され、蒸発皿１３内のドレン水は蒸発促進される。
【００６１】
この時、凝縮器１９は、機械室ファン１４の強制通風の吸い込み側で、フィン２０が風の流れと平行になるように配置されているので、エアガイド１５無しで強制通風の全てを凝縮器１９に流すことができ、簡単な構成で実施の形態１と同様の効果を得ることができる。
【００６２】
また、機械室ファン１４が、自動販売機の前面から見て凝縮器１９と並ぶように配置されているので、機械室ファン１４の故障時などに、機械室ファン１４を容易に取り外すことができる。
【産業上の利用可能性】
【００６３】
以上のように、本発明にかかる自動販売機は、機械室ファンの強制通風のほぼ全てを蒸発皿に流すことによりドレン水の蒸発を促進することができるので、ドレン水を貯留する蒸発皿と機械室ファンを備えたあらゆる機器に適用できる。
【図面の簡単な説明】
【００６４】
【図１】本発明の実施の形態１による自動販売機の機械室の平面図
【図２】同実施の形態の自動販売機の機械室の背面図
【図３】本発明の実施の形態２による自動販売機の機械室の平面図
【図４】従来の自動販売機の機械室の平面図
【符号の説明】
【００６５】
１    自動販売機
３    機械室
５    凝縮器
１２  圧縮機
１３  蒸発皿
１４  機械室ファン
１５  エアガイド
１７  吹き出しパネル
１８  蒸発シート
１９  凝縮器
２０  フィン
【図１】
2007102681.tif 000003
【図２】
2007102681.tif 000004
【図３】
2007102681.tif 000005
【図４】
2007102681.tif 000006